(57)【要約】【課題】浴槽の蓋は入浴時洗い場に立てかけるが、その分洗い場が狭くなる。そのため、浴槽蓋を丸めて又は折りたたんでコーナーに収納できるストッパーを提供する。【解決手段】図１に示すように、Ｌ字形のアーム２の両端に壁面と密着する機能を備え、且つアーム２の中央部は丸めた浴槽蓋の外周の面に沿うような曲線をもったストッパーである。このストッパー１を浴槽の片隅の壁面にアーム２の両端を密着させ取り付ける。浴槽蓋を収納するときは、壁面とストッパー１の間に丸めた浴槽蓋を差し込む。また、壁面とストッパー１とを密着させる方法としては、フランジ部に粘着テープを備えたものと、ネジで固定するもの、または、吸盤を用いたものがある。また、壁面と密着性を良くするため、密着部は可動できる構造としている。また、アームの長さ調整ができるようなものもある。【選択図】  図１
2004147744.tif 000002
【特許請求の範囲】
【請求項１】
浴槽の蓋を収納するためのストッパーにおいて、略９０度をなすＬ字形のアームの両端に吸着面又は接着面を備え、且つ前記Ｌ字形アームの中央部には、丸めた又は折りたたんだ浴槽蓋の外周の面に接するような曲線を設けたことを特徴とする浴槽蓋収納ストッパー。
【発明の詳細な説明】
【０００１】
【発明が属する技術分野】
本発明は入浴時に浴槽の蓋を壁面のコーナーに収納するための治具である。
【０００２】
【従来の技術】
従来、入浴時は浴槽の蓋を洗い場の壁などに立てかけて、蓋の上部に倒れ止め防止の引っ掛け金具などがある。
【０００３】
【発明が解決しようとする課題】
浴場内の洗い場の壁面に蓋を立てかけているが、狭い洗い場では体を洗う時、腕が蓋に当たり窮屈な思いをしていた。本発明は、この課題を解消するためになされたものである。
【０００４】
【課題を解決するための手段】
図３から図６及び図１６に示すように、壁面コーナの空間を有効に使うため、浴槽上の隅の直交した壁面に浴槽蓋ストッパー１を密着させ、浴槽蓋を収納するときは浴槽蓋を丸めて又は折りたたんで、直交した壁面と前記ストッパー１の間に差し込むことにより、浴槽蓋を保持させるものである。前記Ｌ字形ストッパー１は９０度をなす壁面に固定させるため、図１、図２、図７、図８、図９に示すようにＬ字形のアーム２の両端には、吸盤４又は粘着テープ３１又はネジ穴３３を設けている。また、Ｌ字形のアーム２の中央部には、丸めた又は折りたたんだ浴槽蓋の外周の面に沿うように曲線を設けている。
【０００５】
【発明の実施の形態】
以下、本発明の実施の形態について説明する。最近よく用いられている浴槽蓋は図１６に示す波板状のもので、丸めて立てかけることができる。図１、図２に前記浴槽蓋を保持するためのストッパー１の実施例について説明する。アーム２はＬ字形をなし、その両端はフランジ部３と軸３２で連結され、フランジ部３は矢印方向に回転することができる。これは直交した壁面とフランジ部３の貼り付け面とが密着できるようにするためである。フランジ部３の壁面側には、壁面に密着させるための粘着テープ３１を設けている。また、壁面と強固に固定する場合はネジ穴３３を用いてネジで固定することもできる。アーム２の中央部は図３に示すように、丸めた浴槽蓋の半径１／２Ｄに近い半径Ｒの曲がりをもつ。また、アームの１辺の長さＬ１は丸めた浴槽蓋の直径Ｄより５から１０ｍｍ長くするのが最適である。次に浴槽蓋ストッパー１の取り付け高さＬ２は図４に示すように浴槽蓋の幅Ｗの１／４以上で、且つ丸めた浴槽蓋の直径Ｄ以上とするのが望ましい。図５と図６はアコーデオン式の折りたたんだ
浴槽蓋を収納保持させるための浴槽蓋ストッパー１の形状を示す。この他に、壁と密着させる方法として図７に示すようにアーム２と吸盤４を軸３２で連結したものが考えられる。図８はアーム２に吸盤４を差し込んだものである。尚、吸盤４を壁面に強固に取付けるには市販の副シールを用いるとよい。図９はアーム２とフランジ部３とが一体形状のものを示し、壁面との密着性を良くするためにフランジ部３と粘着テープ３１の間にスポンジゴム３４を備えている。また、アーム２の長さを変えられるように考案したものを図１０、図１１、図１２、図１３に示す。図１０、図１１、図１２はアーム形状が角型パイプとしたもので、第２のアーム２２の直線部分に第１のアーム２１を挿入し、スライドできるようにしたものである。第１のアーム２１には突起物２３が固設され、第２のアーム２２の背面に設けられた複数個の穴２４に突起物２３がはまり込み、第１のアーム２１と第２のアーム２２とが固定される。また、突起物２３の両横に切りかき２５を設け、板バネ効果で第１のアーム２１がスライドできる。図１３はパイプ状のアームを用いた場合のスライド機構であり、第１のアーム２１の内側には雌ネジを設け、第２のアーム２２の先端部に雄ネジを設け、第１のアーム２１を回転させることにより、アームの長さを調整するものである。その他にパイプ状のアームのスライド機構として、図示しないが掃除機のパイプ状の柄の長さ調整に用いられているＣ型テーパリングを用いてパイプをねじ込み固定する方法もある。ここでアームの形状は丸パイプ状や角パイプ状や丸棒や角棒などとらわれることはない。また、材質にしても樹脂製やＳＵＳ製にとらわれることはない。
【０００６】
【実施例】
図１４に本発明品の試作品を示す。本試作品は一般的によく用いられている浴槽蓋の寸法が長さ１０８０ｍｍ、幅７００ｍｍのものに合わせて試作した。（イ）は吸着用吸盤４が軸３２で連結された吸盤部可動タイプ。（ロ）は粘着テープを備えたフランジ３が軸３２で連結されたフランジ部可動タイプ。（ハ）はアーム２の両端部に吸盤４を差し込んだ吸盤部固定タイプ。（ニ）はクッション用スポンジゴム３４を備えたフランジ部固定タイプ。図１５に示すように本発明の応用としてクサリを使用したものが考えられるがクサリや紐では浴槽蓋を収納するのに、フックをかけたり、はずしたりする手間が掛かり、得策ではない。図１６に実際に吸盤タイプの浴槽蓋ストッパー１を取付けた状態を示す。（イ）は浴槽蓋を収納する前の状態。（ロ）は浴槽蓋を収納した状態。図１７は本発明品を傘立てに応用した状態を示す。
【０００７】
【発明の効果】
浴槽の蓋を壁面コーナに収納することにより、風呂場の洗い場が広く使える。
【図面の簡単な説明】
【図１】は本発明品の平面図
【図２】は本発明品の側面図
【図３】は本発明品の使用状態を示す平面図
【図４】は本発明品の使用状態を示す側面図
【図５】は本発明品の他の使用状態を示す平面図
【図６】は本発明品の他の使用状態を示す側面図
【図７】は本発明品の吸盤可動タイプを示す側面図
【図８】は本発明品の吸盤固定タイプを示す側面図
【図９】は本発明品のフランジ固定タイプを示す側面図
【図１０】は本発明品の角型アームの伸縮部を示す平面図
【図１１】は本発明品の角型アームの伸縮部を示す側面図
【図１２】は図９のＡ視図を示す一部断面図
【図１３】は本発明品の丸型アームの伸縮部を示す一部断面図
【図１４】は本発明品の試作品を示す斜視図
【図１５】は本発明品の他の応用例を示す斜視図
【図１６】は本発明品の試作品の使用状態を示す斜視図
【図１７】は本発明品の他の使用状態を示す斜視図
【符号の説明】
１は浴槽蓋ストッパー、２はアーム、３はフランジ部、３１は粘着テープ、３２は軸、３３はネジ穴、３４はスポンジゴム、４は吸盤、２１は第１のアーム、２２は第２のアーム、２３は突起物、２４は穴、２５は切り欠き
【図１】
2004147744.tif 000003
【図２】
2004147744.tif 000004
【図３】
2004147744.tif 000005
【図４】
2004147744.tif 000006
【図５】
2004147744.tif 000007
【図６】
2004147744.tif 000008
【図７】
2004147744.tif 000009
【図８】
2004147744.tif 000010
【図９】
2004147744.tif 000011
【図１０】
2004147744.tif 000012
【図１１】
2004147744.tif 000013
【図１２】
2004147744.tif 000014
【図１３】
2004147744.tif 000015
【図１４】
2004147744.tif 000016
【図１５】
2004147744.tif 000017
【図１６】
2004147744.tif 000018
【図１７】
2004147744.tif 000019